(57)【特許請求の範囲】
【請求項１】
方形に形成された上部プレートと、
少なくともこの上部プレートより前後方向及び／又は左右方向に長い２辺を有する下部プレートと、
上面側が上部プレートに固定されると共に下面側が下部プレートに固定され、これら上部プレートと下部プレートとの間を連結すると共に上部プレートと下部プレートとの間に作用する衝撃や振動を吸収する複数の衝撃振動吸収体を有する防振手段とで構成されており、
かつ、上部プレートには、この上部プレート上に積載される物品に係止するフック部及びこのフック部に接続されたワイヤー部からなる少なくとも３本以上の締結ワイヤーと、これら締結ワイヤーのフック部を上部プレート上の所定の周辺位置に配置する周辺配置具及びこれら締結ワイヤーのワイヤー部を上部プレート上の略中央部に集める中央配置具と、この中央配置具で集められた締結ワイヤーのワイヤー部をまとめて牽引するワイヤー牽引具とからなる物品固定具が設けられていることを特徴とする防振パレット。
【請求項２】
少なくとも積載される物品の高さよりも高い３つ以上の支持具を介して上下方向に積み重ね可能な防振パレットであって、
物品が積載される、方形に形成された上部プレートと、
少なくともこの上部プレートより前後方向及び／又は左右方向に長い２辺を有する下部プレートと、
これら上部プレートと下部プレートとの間を連結すると共に上部プレートと下部プレートとの間に作用する衝撃や振動を吸収する複数の衝撃振動吸収体を有する防振手段と、
上部プレートよりも外側に突出する下部プレートの突出部に、その上部プレートとは間隔をあけた状態で取り付けられ、前記各支持具の下端を保持するための保持具と
で構成されていることを特徴とする防振パレット。
【請求項３】
上部プレートには、この上部プレート上に積載される物品に係止するフック部及びこのフック部に接続されたワイヤー部からなる少なくとも３本以上の締結ワイヤーと、これら締結ワイヤーのフック部を上部プレート上の所定の周辺位置に配置する周辺配置具及びこれら締結ワイヤーのワイヤー部を上部プレート上の略中央部に集める中央配置具と、この中央配置具で集められた締結ワイヤーのワイヤー部をまとめて牽引するワイヤー牽引具とからなる物品固定具が設けられている請求項２に記載の防振パレット。
【請求項４】
各保持具には上部プレートの周辺部上面上方に所定の間隔を維持して突出する上部プレート受け部が形成されており、上下に段積みされた下段の防振パレットの上部プレートを持って複数の上下段の防振パレットを持ち上げた際に、この下段の防振パレットの上部プレートの周辺部が上部プレート受け部に当接し、これら各保持具を介して下段の防振パレットの下部プレートに作用する上段の防振パレットの荷重を支持する請求項２に記載の防振パレット。
【発明の詳細な説明】
【０００１】
【発明の属する技術分野】
この発明は、物品の輸送の際や荷役作業等の際に用いられる防振パレットに係り、特に輸送時や荷役作業時等に衝撃や振動等が物品に伝達するのを防止できる機能を備えた防振パレット及びその段積み装置に関する。
【０００２】
【従来の技術】
従来より物品の輸送時や荷役作業時には、これらの物品を輸送手段に積載し、また、固定し、あるいは、フォークリフト等での作業を容易にするため、パレットが使用されている。また、近年においては、複写機等のＯＡ機器を始めとして精密機器が組み込まれた物品の輸送や荷役作業に用いるものとして、輸送や荷役作業時の衝撃や振動等が物品に伝達するのをできるだけ防止できるようにした防振パレットも提案されている（実開平２−１２４，８２２号公報、特開平７−２９１，２８９号公報等）。
【０００３】
そして、この従来の防振パレットは、基本的には、フォークリフトのフォーク挿入空間を形成するために上部プレートと下部プレートとの間に介装されるスペーサをゴム等の弾性体で形成し、例えば輸送時に車両側から伝達される衝撃や振動を弾性体で吸収し、これら衝撃や振動が上部プレート上に積載された物品に伝達するのを防止できる構造になっている。
【０００４】
しかしながら、従来のこの種の防振パレットにおいては、上部プレートと下部プレートとが同じ形状で同じ大きさに形成されており、このため、例えばこの防振パレットを用いて物品を貨車やトラック等の車両で輸送中、その上下方向の衝撃や振動については効果的に吸収できるが、例えば車両の連結時、急停車時、段差の乗り越え時等に物品に水平方向の慣性モーメントが作用すると、上部プレートと下部プレートとはこれらの間に介装された弾性体が伸縮して相対的に移動し、上部プレートの周辺部が下部プレートの周辺部より外方に突出し、物品の積載状況によっては車両の前壁や側壁に衝突したり、あるいは、防振パレットの上部プレートどうしが衝突し合うことになり、弾性体の衝撃吸収性能が発揮し得なくなったり、場合によっては弾性体によりかえって衝撃や振動が増幅されて物品の損傷や破損を引き起こすことも考えられる。
【０００５】
そこで、従来のこの種の防振パレットにおいては、実際の使用に際しては、上述した水平方向の衝撃や振動に対する対策をしておく必要があり、例えば、パレットとパレットの間、パレットと車両の前壁や側壁との間等に衝撃吸収のための別の手段を挟み込むこと等が行われていた。
【０００６】
また、このような防振パレットの複数個を上下方向に段積みするための装置についてみても、特に工夫されたものはなく、例えば図２３に示すように、上部プレートｂ、下部プレートｃ及びこれらの間に介装されたゴム等の弾性体ｄからなる防振パレットａを、物品Ｗを収納するスペースを確保しながら、収納できる保管棚（若しくは保管箱）ｅが知られているにすぎず、その前後方向及び左右方向のサイズが必然的に防振パレットａよりも大幅に大きくならざるを得ず、輸送効率や保管効率等を大幅に低下させる大きな原因になっている。
【０００７】
そこで、例えば図２４に示すように、下段に位置する防振パレットａの上部プレートｂと上段に位置する防振パレットａの下部プレートｃとの間に、前後方向及び左右方向のサイズが防振パレットａよりも大きくならないように、支柱（若しくは側壁材）ｆを立設することも考えられるが、このような方法を採用すると、上段の防振パレットａ及びこれに積載された上段の物品Ｗの荷重がそのまま下段の防振パレットａの上部プレートｂに作用し、結果として下段の防振パレットａの弾性体ｄには単に下段の防振パレットａに積載された物品の荷重だけでなく、上段の防振パレットａ及び物品Ｗの荷重をも負荷することになり、この下段の防振パレットａの弾性体ｄにおける衝撃吸収や防振の性能が著しく低下し、更に、この下段の防振パレットａの弾性体ｄに作用する荷重の重心の位置が上方に移動してますます水平方向の衝撃や振動に弱くなるという問題が生じる。
【０００８】
そして、このように防振パレットａの弾性体ｄに作用する荷重の重心の位置が高くなると、例えば輸送時に急停止されたような場合、物品Ｗに水平方向の慣性モーメントが強く作用し、輸送の進行方向前方に位置する弾性体ｄに対してはこれを圧縮する方向に圧縮力が作用すると共に輸送の進行方向後方に位置する弾性体ｄに対してはこれを伸長する方向に引張力が作用し、時にはこの弾性体ｄが防振パレットａの上部プレートｂや下部プレートｃに取り付けられている部分で破断するという事故も発生する。
【０００９】
【発明が解決しようとする課題】
本発明は、かかる観点に鑑みて創案されたもので、その目的とするところは、たとえ車両の連結時、急停車時、段差の乗り越え時等に防振パレット上に積載された物品に水平方向の衝撃や振動が作用しても、その上部プレートの周辺部が車両の前壁や側壁、更には近隣の防振パレットの上部プレートに衝突するようなことがなく、これによって物品に作用する水平方向の衝撃や振動をも吸収し、また、抑制することができる新しい構造の防振パレットを提供することにある。
【００１０】
また、本発明の他の目的は、上記防振パレットの複数個（すなわち、２個以上）を上下方向に段積みする際に、下段の防振パレットの衝撃振動吸収体に上段の防振パレットや物品の荷重が作用することがなく、上段及び下段に位置する各防振パレットの衝撃振動吸収体がいずれも効率良くその機能を発揮することができるように段積みすることができる防振パレットを提供することにある。
【００１１】
【課題を解決するための手段】
すなわち、本発明（第１発明）は、方形に形成された上部プレートと、少なくともこの上部プレートより前後方向及び／又は左右方向に長い２辺を有する下部プレートと、上面側が上部プレートに固定されると共に下面側が下部プレートに固定され、これら上部プレートと下部プレートとの間を連結すると共に上部プレートと下部プレートとの間に作用する衝撃や振動を吸収する複数の衝撃振動吸収体を有する防振手段とで構成されており、かつ、上部プレートには、この上部プレート上に積載される物品に係止するフック部及びこのフック部に接続されたワイヤー部からなる少なくとも３本以上の締結ワイヤーと、これら締結ワイヤーのフック部を上部プレート上の所定の周辺位置に配置する周辺配置具及びこれら締結ワイヤーのワイヤー部を上部プレート上の略中央部に集める中央配置具と、この中央配置具で集められた締結ワイヤーのワイヤー部をまとめて牽引するワイヤー牽引具とからなる物品固定具が設けられている、防振パレットである。
【００１２】
また、本発明（第２発明）は、少なくとも積載される物品の高さよりも高い３つ以上の支持具を介して上下方向に積み重ね可能な防振パレットであって、物品が積載される、方形に形成された上部プレートと、少なくともこの上部プレートより前後方向及び／又は左右方向に長い２辺を有する下部プレートと、これら上部プレートと下部プレートとの間を連結すると共に上部プレートと下部プレートとの間に作用する衝撃や振動を吸収する複数の衝撃振動吸収体を有する防振手段と、上部プレートよりも外側に突出する下部プレートの突出部に、その上部プレートとは間隔をあけた状態で取り付けられ、前記各支持具の下端を保持するための保持具とで構成されている、防振パレットである。
【００１３】
本発明において、上部プレートと下部プレートとは、それが木製であっても、樹脂製であっても、また、金属製であってもよいが、下部プレートの大きさは、水平方向の衝撃や振動が作用する方向に沿ってその前後方向や左右方向に上部プレートよりも長い辺を有する必要があり、従って少なくともその２辺が上部プレートよりも前後方向及び／又は左右方向に長い辺を有するものであり、防振パレット使用の際にその方向性が制限されないように、好ましくは防振パレットに組み立てられている状態で下部プレートの４辺が共に同じ長さで上部プレートの前後左右方向に突出した形状となっているのがよい。
【００１４】
また、これら上部プレートと下部プレートとの間に介装される防振手段は、基本的には上面側が上部プレートに固定されると共に下面側が下部プレートに固定され、これら上部プレートと下部プレートとの間を連結すると共に上部プレートと下部プレートとの間に作用する衝撃や振動を吸収する少なくとも３個以上の複数の衝撃振動吸収体で構成され、同時にこれら上部プレートと下部プレートとの間にフォークリフトのフォーク挿入空間を形成する。
【００１５】
防振手段となる各衝撃振動吸収体は、一般的には従来と同様にゴム等の弾性体で形成されるが、例えば、防振パレットに積載される物品の高さが高くてその重心の位置が高いような場合には、引張力や圧縮力に対する強度を高くするために、必要により複数の金属板と複数のゴム板等の弾性板材とを交互に積層して形成された弾性体積層アッセンブリで構成してもよい。なお、使用する弾性板材としては、積載する物品に対する反撥衝撃を考慮して、反撥係数の比較的小さなものを用いるのがよい。
【００１６】
ここで、下部プレートの各辺の長さを上部プレートの各辺の長さよりどの程度長くし、また、どのような性能を有する衝撃振動吸収体を使用する必要があるかについての設計は、防振パレットに積載される物品の水平方向脆弱性や重量等を考慮し、水平方向の衝撃や振動が作用する際に想定される水平方向速度や、衝撃振動吸収体として使用するゴム等の弾性体の形状剪断バネ定数、みかけ剪断弾性係数、受圧面積、高さ（上部プレートと下部プレートとの間の距離）、使用する衝撃振動吸収体の数等のファクターを検討し、物品をその物品の水平方向脆弱性限界値以内で停止させるために必要な水平方向最小移動距離を求め、この水平方向最小移動距離に基づいて行う。
【００１７】
更に、上部プレートには、その上に物品を固定するために、例えば固定金具とボルトナット等のような種々の物品固定具を設ける場合があるが、底面に丈夫なフレームを有する物品を積載するためには、上記第１発明の防振パレットのように、この物品の底面フレームに係止するフック部及びこのフック部に接続されたワイヤー部からなる少なくとも３本以上、好ましくは４本の締結ワイヤーと、これら締結ワイヤーのフック部を上部プレート上の所定の周辺位置に配置するアイボルト等の周辺配置具及びこれら締結ワイヤーのワイヤー部を上部プレート上の略中央部に集めるアイボルト等の中央配置具と、この中央配置具で集められた締結ワイヤーのワイヤー部をまとめて牽引するラチェットハンドル等のワイヤー牽引具とからなる物品固定具を設けるがよい。このような物品固定具によれば、物品の底部フレームに設けられる係止孔の位置が物品の種類によって上下前後左右方向に異なっていても、自在に対応することができる。
【００１８】
そして、このような防振パレットを段積みするために用いる段積み装置は、少なくとも上部プレート上に積載される物品の高さよりも高い少なくとも３つ以上、好ましくは４本の支柱又は４枚の側壁材等からなる支持具と、下部プレートと略同じ形状及び大きさに形成され、上記支持具の上に取り付けられる天板と、上部プレートより外側に突出する下部プレートの突出部、好ましくは方形の下部プレートの四隅に位置する突出部にその上部プレートとは間隔をあけた状態で取り付けられ、上記各支持具の下端が保持される保持具とで構成される。また、上記第２発明の防振パレットを段積みするに際しては、その防振パレットを上記３つ以上の支持具を介して上下方向に積み重ねるとともに、その各支持具の下端を保持具に保持させる。
【００１９】
この段積み装置については、好ましくは各支持具を各保持具及び天板に対して着脱可能に形成すると共に各保持具と天板とを接続可能に形成し、より好ましくは各支持具を接続して延長可能な複数の接続支柱で構成すると共に天板の下面には例えばブラケットや固定ベルト等の収納手段を設けてこれら接続支柱をまとめて収納できるようにし、物品の輸送や荷役等の作業終了後には各支持具を取り外して小さくまとめ、使用後の段積み装置を回収し易いようにするのがよい。
【００２０】
更に、第１発明の防振パレットの段積み装置や第２発明の防振パレットにおいては、その各保持具には上部プレートの周辺部上面上方に所定の間隔を維持して突出する上部プレート受け部を設け、上下に段積みされた下段の防振パレットの上部プレートを持って複数の上下段の防振パレットを持ち上げた際にこの下段の防振パレットの上部プレートの周辺部が上部プレート受け部に当接するようにし、これによってこれら各保持具を介して下段の防振パレットの下部プレートに作用する上段の防振パレットの重量を支持するように構成するのがよい。このように構成することにより、上下方向に積載された下段の防振パレットの衝撃振動吸収体には上段の防振パレットの重量が作用することがなく、上下段の各防振パレットの衝撃振動吸収体はこれら各防振パレットに積載された物品の重量が作用するだけになり、各防振パレットの衝撃振動吸収体が略均等な重量を支持してバランスのとれた段積みを行うことができる。
【００２１】
【発明の実施の形態】
以下、実施例に基づいて、本発明の好適な実施の形態を説明する。
【００２２】
実施例１
図１から図３に、この発明の実施例１に係る防振パレットＰが示されている。この防振パレットＰは、正方形に形成された木製の上部プレート１と、この上部プレート１よりもその前後左右方向に長さｌだけ長い４辺を有する木製の下部プレート２と、上面側が上部プレート１に固定されると共に下面側が下部プレート２に固定され、これら上部プレート１と下部プレート２との間を連結すると共に上部プレート１と下部プレート２との間に作用する衝撃や振動を吸収する９個の防振手段が互いに等間隔で設けられている。
【００２３】
この実施例１において、各防振手段は、図４から図６に示すように、ゴム製円柱状の衝撃振動吸収体３と、その上面に固着されて締結ボルト部４ａを有する金属製の取付プレート４と、衝撃振動吸収体３の下面に固着されて一対の取付孔５ａを有する金属製の取付プレート５とで構成されている。そして、衝撃振動吸収体３の取付プレート４と上部プレート１との間は、上部プレート１側に穿設された透孔１ａに取付プレート４の締結ボルト部４ａを貫通し、上部プレート１の上面側からワッシャ７及び座金８を介してナット６で締め付けて締結されており、また、衝撃振動吸収体３の取付プレート５と下部プレート２との間は、この下部プレート２に透孔２ａを穿設すると共にこの透孔２ａの下部プレート２下面側に埋め込みナット９を取付け、締結ボルト１０を座金８を介して取付プレート５の取付孔５ａから下部プレート２の透孔２ａ内に差し込み、埋め込みナット９に螺着させて締め付けることにより締結されている。
【００２４】
この実施例１の防振パレットＰにおいて、その上部プレート１の上に物品Ｗを固定するための物品固定具は、Ｌ字状の固定金具１１とこの固定金具１１を上部プレート１側及び物品Ｗ側にそれぞれ固定するボルトナット１２とで構成されている。
【００２５】
上記実施例１の防振パレットＰによれば、図８及び図９に示すように、トラックＴの荷台に防振パレットＰを介して物品Ｗを積載し、例えば搬送中に急停車したような場合、物品Ｗが軽量で低重心であると（図８の場合）物品Ｗの水平方向慣性モーメントにより物品ＷがトラックＴの進行方向に若干移動するが、この時に防振パレットＰの上部プレート１の前縁部はトラックＴの前壁に当たることなく水平な状態を維持したまま停止し、また、物品Ｗが重量物で低重心であると（図９の場合）物品Ｗの水平方向慣性モーメントにより物品ＷがトラックＴの進行方向に若干移動する際に、前方の防振パレットＰの衝撃振動吸収体３は圧縮力を受け、また、後方の防振パレットＰの衝撃振動吸収体３は引張力を受けながら、上部プレート１の前縁部はトラックＴの前壁に当たることなく停止する。
【００２６】
次に、図１０は防振パレットＰに用いる衝撃振動吸収体３の変形例を示すものであり、複数の金属板３ａと複数のゴム板（弾性板材）３ｂとを交互に積層して形成された積層ゴムアッセンブリ（弾性体積層アッセンブリ）で形成されており、例えば物品Ｗが重量物で高重心であって、搬送中の急停車等の際に衝撃振動吸収体３に強い圧縮力と引張力とが作用するような場合に好適に用いられる。
【００２７】
更に、図１１から図１３は、例えば複写機の搬送に用いられる防振パレットＰの上部プレート１に設けられる物品固定具の他の例を示すものであり、物品の底面に位置するベースフレームＢ（図１３参照）に係止するフック部１３ａ及びこのフック部１３ａに接続されたワイヤー部１３ｂを有する４本の締結ワイヤー１３と、これら締結ワイヤー１３のフック部１３ａを上部プレート１上の所定の周辺位置に配置するアイボルト（周辺配置具）１４ａ及びこれら締結ワイヤー１３のワイヤー部１３ｂを上部プレート１上の略中央部に集めるアイボルト（中央配置具）１４ｂと、これらのアイボルト１４ａ，１４ｂで集められた締結ワイヤー１３のワイヤー部１３ｂをまとめて牽引するラチェットハンドル（ワイヤー牽引具）１５とで構成されている。
【００２８】
この変形例の物品固定具において、上記締結ワイヤー１３のフック部１３ａは、図１２及び図１３に示すように、基端側にワイヤー部１３ｂが連結された平板状の本体部１６ａと、この本体部１６ａの終端から表面側又は裏面側に略直角に延びる折曲部１６ｂと、上記本体部１６ａの裏面側又は表面側に設けられて折曲部１６ｂとは反対側に位置すると共にこの折曲部１６ｂの位置からベースフレームＢのほぼ板厚に等しい距離だけ基端側に位置し〔図１３（ｂ）参照〕、本体部１６ａと相俟って略コ字状の鉤部を形成する鉤形成部１６ｃとで形成されており、ベースフレームＢに穿設された係止孔１７ａが水平方向に向けて開口している場合には、図１３（ａ）に示すように、鉤形成部１６ｃをこの係止孔１７ａに係止して固定し、また、ベースフレームＢに穿設された係止孔１７ｂが垂直方向に向けて開口している場合には、図１３（ｂ）に示すように、折曲部１６ｂをこの係止孔１７ｂに差し込んでこの折曲部１６ｂと鉤形成部１６ｃとで係止して固定するようになっている。
【００２９】
従って、この変形例の物品固定具によれば、物品の底部に位置するベースフレームＢに適当な係止孔１７ａ，１７ｂを開設しておき、各締結ワイヤー１３のフック部１３ａをベースフレームＢの各係止孔１７ａ，１７ｂに係止し、上記ラチェットハンドル１５を用いて各締結ワイヤー１３のワイヤー部１３ｂを牽引するだけで、物品を強固にかつ容易に、しかも、所定の位置に位置決めしながら固定することができる。
【００３０】
実施例２
図１４から図１７に、本発明の防振パレットＰを段積みする場合の構成が示されている。この実施例２では、実施例１における防振パレットＰを、２本１組で接続することにより上部プレート１上に積載される物品の高さよりも高くなる４組の接続支柱（支持具）１８ａ，１８ｂを介して上下方向に積み重ね可能にしており、その上部プレート１より外側に突出する下部プレート２の突出部の四隅に、下方に位置する各接続支柱１８ａの下端が保持される保持具２０をその下部プレート２とは間隔をあけた状態で取り付けている。また、この実施例２では、このような保持具２０を取り付けた防振パレットＰを段積みするに際して、下部プレート２と略同じ形状及び大きさに形成され、上記接続支柱１８ａ，１８ｂの上に取り付けられる天板１９を使用して段積み装置Ｈを構成している。
【００３１】
この実施例２において、各接続支柱１８ａ，１８ｂは、図１５に示すように、中空パイプ２１ａの一端にその外径と略同じ内径を有する短寸の接続パイプ２１ｂを溶接して形成されており、中空パイプ２１ａの他端を接続パイプ２１ｂ内に嵌合することにより、２本の接続支柱１８ａ，１８ｂを容易に連結できるようになっている。
【００３２】
また、上記天板１９は、図１６に示すように、木製の天板本体１９ａの四隅に、上方に位置する各接続支柱１８ｂの接続パイプ２１ｂ内に嵌合して連結される連結部２２ａを有する連結ブラケット２２が取り付けられており、また、これら各連結ブラケット２２の連結部２２ａ間にはこれら連結部２２ａを補強する補強梁２３が架設されている。そして、この天板１９の内面側には、物品の輸送や荷役等の作業終了後に各接続支柱１８ａ，１８ｂをまとめて収納するための一対のブラケット２４ａと固定ベルト２４ｂからなる収納手段が設けられている。
【００３３】
そして、上記下部プレート２の四隅に取り付けられる各保持具２０は、図１７に示すように、下部プレート２の四隅に固定される固定部２０ａと、この固定部２０ａに立設され、下方に位置する各接続支柱１８ａの下端が挿入されて連結される連結部２０ｂと、この連結部２０ｂの上方位置に設けられ、上部プレート１の周辺部上面上方に所定の間隔を維持して突出する上部プレート受け部２０ｃが形成されている（図１４、図１８）。
【００３４】
従って、この実施例２の防振パレットＰ及び段積み装置Ｈによれば、図１８に示すように、防振パレットＰ及び段積み装置Ｈを、その使用後に分解し、図１６に示すように各接続支柱１８ａ，１８ｂをまとめてブラケット２４ａ及び固定ベルト２４ｂで天板１９の下面側に格納し、次いで天板１９の各連結ブラケット２２の連結部２２ａを下部プレート２の四隅に取り付けられた各保持具２０の連結部２０ｂに差し込み、防振パレットＰ及び段積み装置Ｈの高さを接続支柱１８ａ，１８ｂの分だけ低くした状態を示すものであり、このように防振パレットＰ及び段積み装置Ｈの高さを低くすることにより、物品の輸送や荷役等の作業終了後における防振パレットＰ及び段積み装置Ｈの回収作業の作業性が顕著に向上する。
【００３５】
そして、例えば図１９及び図２０に示すように、例えば３段に段積みした場合であっても、各防振パレットＰの衝撃振動吸収体３には各防振パレットＰに積載された物品の荷重が作用するだけであるほか、平面状態において段積み装置Ｈが防振パレットＰの下部プレート２より外方に張り出すことがなく、輸送及び保管の効率を低下させることがない。
【００３６】
しかも、これら各防振パレットＰ及び段積み装置Ｈは、輸送等の作業終了時には、それぞれ図２０に示すようにその高さを低くして段積みすることができ、これら防振パレットＰ及び段積み装置Ｈの回収作業が極めて容易になり、輸送・保管用の車両の出荷場所への返送が容易になって流通管理を容易にすることができる。
【００３７】
更に、図２１及び図２２に示すように、フォークリフトＦにより荷役作業を行う際に、上下に段積みされた下段の防振パレットＰの上部プレート１を持って上下段の防振パレットＰを持ち上げた際には、この下段の防振パレットＰの上部プレート１の周辺部が上部プレート受け部２０ｃに当接し、これによって下段の防振パレットＰの下部プレート１に作用する上段の防振パレットＰの荷重を各保持具２０を介して支持できるようになっている。
【００３８】
【発明の効果】
以上の通り、本発明の防振パレットによれば、車両の連結時、急停車時、段差の乗り越え時等に積載された物品に水平方向の衝撃や振動が作用しても、その上部プレートの周辺部が車両の前壁や側壁、更には近隣の防振パレットの上部プレートに衝突することがなく、これによって物品に作用する水平方向の衝撃や振動をも吸収し、また、抑制することができる。
【００３９】
また、本発明の防振パレットによれば、複数個の防振パレットを上下方向に段積みする際に、下段の防振パレットの衝撃振動吸収体に上段の防振パレットや物品の荷重が作用することがなく、上段及び下段に位置する各防振パレットの衝撃振動吸収体がいずれも効率良くその機能を発揮することができるように段積みすることができる。
【図面の簡単な説明】
【図１】  図１は、本発明の実施例１に係る防振パレットを示す斜視説明図である。
【図２】  図２は、図１の平面説明図である。
【図３】  図３は、図１の側面説明図である。
【図４】  図４は、図１の上部プレートと下部プレートとの間に介装される衝撃振動吸収体の取付け状態を示す部分断面説明図である。
【図５】  図５は、図４に示された衝撃振動吸収体の正面図である。
【図６】  図６は、図５の平面図である。
【図７】  図７は、図１の上部プレートに物品が固定される状態を示す部分説明図である。
【図８】  図８は、図１の防振パレットがトラックの急停止時に水平方向の衝撃を吸収する状態を示す説明図である。
【図９】  図９は、図８と同様の説明図である。
【図１０】  図１０は、衝撃振動吸収体の変形例を示す断面説明図である。
【図１１】  図１１は、上部プレート上に設けられた物品固定具の変形例を示す斜視説明図である。
【図１２】  図１２は、図１１の物品固定具の締結ワイヤーを示す斜視説明図である。
【図１３】  図１３は、図１２の締結ワイヤーが物品の底部に位置するベースフレームに係止した状態を示す断面説明図である。
【図１４】  図１４は、本発明の実施例２に係る防振パレットとこれに適用された段積み装置を示す斜視説明図である。
【図１５】  図１５は、図１４の接続支柱を示す部分断面説明図である。
【図１６】  図１６は、図１４の段積み装置の天板の下面側を示す斜視説明図である。
【図１７】  図１７は、図１４の保持具を示す斜視説明図である。
【図１８】  図１８は、図１４の段積み装置の格納状態を示す斜視説明図である。
【図１９】  図１９は、図１４の防振パレット及び段積み装置を３段に段積みした状態を示す斜視説明図である。
【図２０】  図２０は、図１９の防振パレット及び段積み装置を格納した状態を示す斜視説明図である。
【図２１】  図２１は、２段に段積みされた図１４の防振パレット及び段積み装置をフォークリフトで荷役する際のリフト準備状態を示す説明図である。
【図２２】  図２２は、図２１のリフト準備状態から２段に段積みされた防振パレット及び段積み装置をリフトした状態を示す説明図である。
【図２３】  図２３は、従来の防振パレット及び段積み装置を示す説明図である。
【図２４】  図２４は、図２３と同様に、従来の防振パレット及び段積み装置を示す説明図である。
【符号の説明】
Ｐ…防振パレット、Ｈ…段積み装置、Ｗ…物品、Ｔ…トラック、Ｂ…ベースフレーム、Ｆ…フォークリフト、１…上部プレート、２…下部プレート、３…衝撃振動吸収体（防振手段）、３ａ…金属板、３ｂ…ゴム板（弾性板材）、４，５…取付プレート（防振手段）、１１…固定金具（物品固定具）、１２…ボルトナット（物品固定具）、１３…締結ワイヤー（物品固定具）、１３ａ…フック部、１３ｂ…ワイヤー部、１４ａ…アイボルト（周辺配置具）、１４ｂ…アイボルト（中央配置具）、１５…ラチェットハンドル（ワイヤー牽引具）、１８ａ，１８ｂ…接続支柱（支持具）、１９…天板、２０…保持具、２４ａ…ブラケット（収納手段）、２４ｂ…固定ベルト（収納手段）。
【図１】
0003648904.tif 000002
【図２】
0003648904.tif 000003
【図３】
0003648904.tif 000004
【図４】
0003648904.tif 000005
【図５】
0003648904.tif 000006
【図６】
0003648904.tif 000007
【図７】
0003648904.tif 000008
【図８】
0003648904.tif 000009
【図９】
0003648904.tif 000010
【図１０】
0003648904.tif 000011
【図１１】
0003648904.tif 000012
【図１２】
0003648904.tif 000013
【図１３】
0003648904.tif 000014
【図１４】
0003648904.tif 000015
【図１５】
0003648904.tif 000016
【図１６】
0003648904.tif 000017
【図１７】
0003648904.tif 000018
【図１８】
0003648904.tif 000019
【図１９】
0003648904.tif 000020
【図２０】
0003648904.tif 000021
【図２１】
0003648904.tif 000022
【図２２】
0003648904.tif 000023
【図２３】
0003648904.tif 000024
【図２４】
0003648904.tif 000025